(57)【要約】【課題】開口部を分割しても、それぞれの開口部の咬合具の閉じ合わせ作業を簡単にすることができる袋体を提供すること。【解決手段】袋体１０は、表裏フィルム１１が両側縁１２及び底縁１３で接着され、両側縁１２に渡って設けられた咬合具１４を備えている。袋体１０は、開口部２０を幅方向で分割する開口部側接着部４０と、収納部３０を幅方向で分割する収納部側接着部５０を備えている。咬合具１４は、複数の開口部２０に跨がって一体に離反係合可能に構成されている。１つの収納部における咬合具１４の離反動作は、開口部側接着部４０及び収納部側接着部５０で遮断されるが、隣合う係合状態の咬合具１４をスライドさせることで、離反した咬合具１４を係合状態に戻すことが簡単である。【選択図】  図４
2005014924.tif 000002
【特許請求の範囲】
【請求項１】
両側縁及び底縁が閉じられた表裏フィルムを有し、上縁に形成される開口部を介して物品を出し入れ可能な袋体において、
前記開口部を幅方向で複数に分割するために前記表裏フィルムを互いに接着した開口部側接着部と、前記開口部側接着部より底縁側において少なくとも２つの開口部に跨がって一体に離反係合可能な咬合具とを備えたことを特徴とする、開口部を分割した咬合具付き袋体。
【請求項２】
前記咬合具より底縁側において、前記開口部側接着部に対応した収納部側接着部を備えている、請求項１記載の開口部を分割した咬合具付き袋体。
【請求項３】
前記咬合具の押し潰し端部に隣接して端部側接着部を備えている、請求項１又は請求項２に記載の開口部を分割した咬合具付き袋体。
【請求項４】
両側縁及び底縁の少なくとも１つの縁部に延在部を備え、前記延在部に１つ又は複数の孔を穿設してなる、請求項１乃至請求項３のいずれかに記載の開口部を分割した咬合具付き袋体。
【発明の詳細な説明】
【０００１】
【発明の属する技術分野】
本発明は、開口部を分割した咬合具付き袋体に関する。より詳細には、本発明は、複数の収納部毎に開口部を設けるが、開口部を開閉のための咬合具は複数の開口部に跨がって一体に連続するように構成した咬合具付き袋体に関する。
【０００２】
【従来の技術】
１つの袋体本体を複数の収納部及び複数の開口部に分割し、それぞれの収納部に複数種の物品を収納するための連続袋が提案されている（特許文献１）。この連続袋は、表裏フィルムの両側縁に渡って咬合具が設けられ、底縁が折り込まれ、両側縁及び収納部の隔壁が接着又は溶着され、独立した複数の収納部毎に物品の取出しが可能となっている。使用者が所望の物品、例えば、必要な額面の切手を取り出すときは、その切手の入った収納部の咬合具を離反させ、収納部から切手を取り出した後、咬合具を係合させる動作が行われる。異なる額面の切手を取り出すときは、複数の収納部において同様の動作が繰り返し行われる。
【０００３】
本発明に関連する技術として、咬合具の閉じ合せ動作を簡単かつ確実になしうるようにした袋体が提案されている（特許文献２）。この袋体は、咬合具端部の一部箇所に接着部を備えている。使用者が所望の物品を取り出したときでも、接着部は咬合具を部分的に係合状態又は係合直前状態に維持する。このように構成することで、接着部によって咬合具が部分的に係合状態又は係合直前状態となるので、その部分を起点として咬合具を係合させる閉じ合せ動作を簡単かつ確実に行うことができる。
【０００４】
【特許文献１】
特公昭４６−１５３４６号公報、第１図
【特許文献２】
特公昭５９−２９５００号公報、第１図、接着部４の構成
【０００５】
【発明が解決しようとする課題】
特公昭４６−１５３４６号公報記載の連続袋において、１つの収納部を開封して収納部から物品を取り出す場合、収納部毎の咬合具を離反させることとなる。咬合具は独立した収納部を形成するために隔壁とともに熱接着等によって押し潰されており、１つの収納部の咬合具を離反させても隣合う収納部の咬合具が離反することはない。
しかし、離反した咬合具を係合させるには、特公昭５９−２９５００号公報記載の発明が課題として挙げるように、咬合具の雌雄位置合わせに注意しながら咬合具端部を閉じ、続いて摺動作業に移らねばならない。複数種の物品を収納部から取り出したときは、離反した咬合具毎に同じ作業を繰り返さねばならず、煩雑に耐えず、苛立ちを禁じえない。
特公昭５９−２９５００号公報記載の発明のように１つの収納部であれば、例えば、同公報記載のように接着部を設けてもよい。しかし、両側縁間の袋幅を際限なくとるという訳にもいかないので、制限された範囲内に収納部が複数あるような連続袋の場合、収納部毎に接着部を設けるとなると開口部が非常に狭くなり、収納部内の物品を取出しにくくなるという別の問題が生じる。そのため、連続袋は、このような接着部を採用することに適さず、咬合具を係合する閉じ合せ動作を簡単かつ確実に行うことができる他の工夫が求められる。
【０００６】
本発明の目的は、特公昭５９−２９５００号公報記載の発明が課題として挙げるように、咬合具の閉じ合わせ作業を簡単にすることであり、連続袋の特有の構成、すなわち、複数の開口部とその開口部に関連する咬合具の構成に着目して、同じ効果を得ることができる袋体を提供することである。
【０００７】
【課題を解決するための手段】
本発明は、両側縁及び底縁が閉じられた表裏フィルムを有し、上縁に形成される開口部を介して物品を出し入れ可能な袋体において、前記開口部を幅方向で複数に分割するために前記表裏フィルムを互いに接着した開口部側接着部と、前記開口部側接着部より底縁側において少なくとも２つの開口部に跨がって一体に離反係合可能な咬合具とを備えた袋体により前記課題を解決した。
【０００８】
開口部側接着部は、咬合具より開口部側で表裏フィルムを互いに接着（又は溶着）することで形成される。咬合具は、表裏フィルムに接着又は同時一体成形されており、この咬合具は開口部側接着部より収納部側に設けられている。使用者は、表裏フィルムの開口部側の開口片をつまんで左右に引っ張ることで、雌雄咬合具が離反して収納部に物品を入れたり、収納部から物品を取り出したりすることができるようになる。
本発明の袋体では、収納部の開封動作、すなわち、咬合具の離反動作の際に、離反する咬合具の動作が、隣合う開口部の咬合具に波及することがないように構成されている。使用者が開口片を左右に引っ張って、その開口部に対応する咬合具を離反させても、離反動作は開口部側接着部で遮断され、咬合具の離反動作が開口部側接着部を越えて隣合う開口部の咬合具に及ぶことがない。仮に、離反動作が開口部側接着部を越えることがあっても、隣合う開口部の咬合具の離反動作は僅かに止まる。そのため、開封対象となっていない開口部においては、咬合具は少なくとも部分的に雌雄咬合具が係合する状態にある。
物品の出入が終わると、使用者は開封状態にある開口部、すなわち、離反状態にある咬合具を閉じる動作を行う。本発明の袋体では、開口部は開口部側接着部で分離独立しているが、咬合具は複数の開口部に跨がって一体に連続して設けられている。そのため、総ての咬合具が離反状態にあるときは別として、少なくとも１つの咬合具が係合状態にあるときは、例えば、隣合う開口部の係合状態にある咬合具を指で摘んでその指をスライドさせることで、雌雄咬合具の位置合せを行うことなく、離反状態の咬合具を簡単かつ確実に係合させることができる。
【０００９】
本発明の好ましい実施形態の袋体は、前記咬合具より底縁側において、前記開口部側接着部に対応した収納部側接着部を備えている。
【００１０】
収納部を分割し、１つの開口部に１つの収納部を対応させることで、物品の混在防止や物品の分別が容易であることは当然であるが、開口部側接着部と収納部側接着部を対応させることにより、咬合具の離反動作に伴う開口部側接着部への荷重負担が軽くなる。これにより開口部側接着部の剥離損傷が防止される。
さらに、咬合具の離反動作に伴って作用する荷重負担を考慮して、袋体の用途や形態に応じて、開口部側接着部の接着幅を広くしたり、収納部側接着部を開口部側接着に比し収納部の中央に寄せたりして、いずれか一方の接着部を強化するため、或いは、いずれか一方への接着部の負担を軽減するための設計変更が行われてよい。例えば、単に接着幅を広くするだけでなく、並列した２本の接着線により接着部を形成してもよい。何れにしても、１つの開口部に１つの収納部を対応させているものである。
【００１１】
本発明の好ましい実施形態の袋体は、前記咬合具の押し潰し端部に隣接した端部側接着部を備えている。
【００１２】
上述のように、総ての開口部を開封すると、総ての咬合具が離反状態になる。この場合は、雌雄咬合具の位置合せが必要になる。例えば、袋体の両側縁において、ほんの一部で係合状態を維持させることができれば、この部分を起点として複数の開口部に跨がる咬合具を一つの動作で係合状態に復帰させることが簡単になる。
押し潰し端部は、代表的なものでは袋体の両側縁にあるが、連続袋の中間に設けることもある。例えば、複数の収納部で１つのユニットを構成し、そのユニットを連ねた場合には、ユニットの両側にも押し潰し端部が形成される。このような場合は、ユニットの最も外側の押し潰し端部に隣接する位置に端部側接着部を設けることで、１つのユニットにおける収納部が総て開封された場合においても、咬合具を一つの動作で係合状態に復帰させることができる。
【００１３】
本発明の好ましい実施形態では、両側縁及び底縁の少なくとも１つの縁部に延在部を備え、前記延在部に１つ又は複数の孔を穿設してなる。
【００１４】
延在部は、袋体の底縁に設けられる場合や、一方の側縁に設けられる場合がある。延在部に設けられる１つ又は複数の孔は、袋体の用途を拡大する。例えば、前記孔を、吊り下げ用の孔、把持用の孔又は綴じ込み用の孔として利用することで、陳列販売、整理、持ち運び、ファイリングに好適となって袋体の利便性が向上する。
【００１５】
【発明の実施の形態】
以下、図面を参照して本発明による咬合具付き袋体の一実施形態について説明する。図１は一実施形態の袋体１０の平面図、図２は他の実施形態の袋体６０の平面図を示している。
【００１６】
袋体１０は、合成樹脂製（合成樹脂を含む各種積層体も含まれる）の表裏フィルム１１が両側縁１２及び底縁１３で熱接着されてなる。袋体１０は、両側縁１２に渡って設けられた咬合具１４を備えている。咬合具１４は、雌雄咬合具が離反係合可能な構造であり、雄型咬合具が表裏フィルム１１の一方に一体化、接着、溶着の手段により設けられ、雌型咬合具が表裏フィルム１１の他方に一体化、接着、溶着の手段により設けられている。咬合具１４は、両側縁１２で表裏フィルム１１とともに熱接着され、雌雄咬合具が係合した状態で押し潰された端部１５を備えている。
接着されない上縁は開口部２０として構成され、この開口部２０を介して袋体１０へ物品を入れたり、袋体１０から物品を取り出したりできる。袋体１０の開口部２０は、幅方向に連なる複数の開口部２１，２２・・２７に分割されている。袋体１０は、それぞれの開口部２０に対応して、幅方向に連なる複数の収納部３０（３１，３２・・・３７）に分割されている。
また、図２に示される袋体６０は、複数のユニット６０ａ，６０ｂ，６０ｃが幅方向に連なって構成されている。それぞれのユニット６０ａ，６０ｂ，６０ｃは、図１の袋体１０と同じように、少なくとも１つの開口部及び収納部を備えている。
【００１７】
ここで、袋体１０について本発明の特徴を詳細に説明すると、袋体１０は、幅方向に連なる複数の開口部２１，２２・・２７を区画形成するために、開口部２０を幅方向で分割する開口部側接着部４０（４１，４２・・・４６）を備えている。開口部側接着部４０は、咬合具１４より上縁側で表裏フィルム１１の一部を構成する開口片１６を互いに接着や溶着する部分である。図１の開口部側接着部４０は、開口片１６の上縁から底縁１３に向って延びており、咬合具１４に対して隙間を残して終端している。
【００１８】
袋体１０は、幅方向に連なる複数の収納部３０（３１，３２・・・３７）を区画形成するために、収納部３０を幅方向で分割する収納部側接着部５０（５１，５２・・・５６）を備えている。収納部側接着部５０は、咬合具１４より底縁側で表裏フィルム１１を互いに接着や溶着する部分である。収納部側接着部５０は、開口部側接着部４０に整列しており、これにより、複数の独立した開口部２０及び収納部３０が形成される。図１の収納部側接着部５０は、咬合具１４と隙間をもって底縁１３まで延びている。
【００１９】
図３は、袋体１０の各位置での断面を示している。
図３（ａ）に示されるように、両側縁１２では表裏フィルム１１とともに係合状態のまま咬合具１４が押し潰されて熱接着されている。
図３（ｂ）に示されるように、それぞれの開口部２０及び収納部３０の中央では、物品の出入や物品の収納ができるように表裏フィルム１１が互いに離反している。咬合具１４が係合した状態では、収納部３０は閉鎖された状態にある。
図３（ｃ）に示されるように、開口部側接着部４０及び収納部側接着部５０を含む断面では、咬合具１４の上下の隙間を残して表裏フィルム１１が接着されている。この構成により、隣合う開口部２１，２２及び収納部３１，３２に跨がって咬合具１４が一体に連続することになる。ここで、一定の隙間を残すことが重要である。この隙間によって、咬合具１４の厚みを吸収するとともに、開口部側接着部４０と収納部側接着５０の接着を確実なものとし、咬合具１４の離反時に、開口部側接着部４０及び収納部側接着部５０の端部からの損傷が防止される。さらに、この隙間によって、開口部側接着部４０及び収納部側接着部５０を形成する製造時に、咬合具１４が押し潰されることを回避することができる。
【００２０】
次に、図４を参照して開封動作及び閉鎖動作を説明する。袋体１０は、複数の収納部３０を備えているので、異なる物品毎に分別してそれらの物品を収納可能である。例えば、それぞれの収納部３１，３２・・・３７には、額面の異なる切手や色の異なる糸が収納されている。
使用者が所望の物品を取り出そうとするときは、その物品が収納されている収納部、例えば、図１の右から２番目の収納部３６において、開口片１６の表裏フィルム１１を摘んで左右に引っ張ると、収納部３６に対応する開口部２６の咬合具１４が離反して収納部３６が開封される。咬合具１４は、隣合う開口部２５，２７及び収納部３５，３７に跨がって一体に連続して設けられているが、離反動作は開口部側接着部４５，４６又は収納部側接着部５５，５６で遮断され、隣合う開口部２５，２７及び収納部３５，３７まで波及することはない。所望の物品が、複数の収納部３０に亘るときは、同じ開封動作・離反動作が繰り返される。
物品を取り出した収納部３６では、咬合具１４が離反した状態にあるが、物品を取り出していない隣合う収納部３５，３７では、咬合具１４が係合した状態にある。開口部側接着部及び収納部側接着部に近接する部分では、咬合具１４は僅かに離反した状態にあるかもしれないが、殆どの部分において咬合具１４は係合状態にある。
【００２１】
所望の物品を取り出した使用者は、開封状態の収納部３６を閉鎖するために、離反した咬合具の係合動作を行う。いくつかの収納部３０が開封されても、少なくとも１つの収納部が閉鎖されているとき、例えば、図４に示されるように、開封した収納部３６に隣合う収納部３７が閉鎖状態にあるとき、使用者は、閉鎖状態の収納部３７に対応する咬合具１４を指で摘んでスライドさせる。収納部３７の咬合具１４は係合状態にあるので、雌雄咬合具の位置合せに注意を払う必要がない。このようにして、離反状態の咬合具１４を係合状態の咬合具１４に倣わせることにより、咬合具１４の係合動作が複数の開口部に跨がって連続することになり、離反状態の咬合具を直ちに簡単かつ確実に係合させることができる。
【００２２】
本発明では、総ての収納部３０において咬合具１４が離反状態にある場合も考慮して、咬合具１４が跨がる開口部３０の少なくとも１箇所に端部側接着部を備えている。
図１に示される形態の袋体１０は、両側縁１２近くの開口片１６に端部側接着部１７を備えている。図２に示される形態の袋体６０は、それぞれのユニット６０ａ，６０ｂ，６０ｃの収納部端部において、少なくとも１つの端部側接着部６７が設けられている。総ての収納部３０が開封状態にあっても、端部側接着部１７，６７が咬合具を部分的に係合状態又は係合直前状態に維持するので、咬合具を一つの動作で係合状態に復帰させることができる。端部側接着部は、開口片と収納部の両方に設けてもよい。
【００２３】
本発明の袋体１０，６０では、開口部２０及び収納部３０を分割しているけれども、図１及び図２に示されるように、それぞれの開口部２０及び収納部３０毎に端部側接着部を設ける必要はない。咬合具１４，６４は、複数の開口部及び収納部に跨がっているので、１区画の咬合具当り１箇所に端部側接着部を設けることで、その端部側接着部付近を起点として、複数の開口部及び収納部に渡って咬合具を係合させることができる。
複数の開口部及び収納部に跨がった咬合具の袋体に、特公昭５９−２９５００号公報記載のような端部側接着部を応用することで、その接着部の作用効果を隣合う開口部及び収納部の咬合具まで波及させることができる。こうすることで、開口部及び収納部が端部側接着部によって狭くなることを最小限に抑え、収納部開閉の利便性を実現することができる。
なお、この端部側接着部を咬合具に接近させて設けるようにすることで、接着幅を抑えることができる。そして、これにより、物品の出し入れの支障をさらに少なくすることができる。
【００２４】
本実施形態では、収納部側接着部５０を設けた袋体１０を例示しているが、このような収納部側接着部５０を備えていない袋体でもよい。この場合、複数の開口部２０（２１，２２・・・２７）で１つの収納部３０を共有して使用する形態となる。このような形態の袋体は、例えば、取り出し量の調整を考えるケースに利用される。
また、本実施形態の袋体１０では、開口部側接着部４０及び収納部側接着部５０が咬合具１４付近で離間して直線状に整列しているが、スポット溶着のように点状の接着部で開口片１６及び収納部３０を間欠的に接着するように構成されていてよい。
さらに、図２の形態の袋体６０のように、ユニット間の開口部側接着部及び収納部側接着部が咬合具６４と交差して連続していてもよい。この形態の袋体６０では、交差部分の咬合具６４は、図３（ａ）で示されるように、係合した状態で押し潰される。そのため、ユニット毎に端部側接着部６７を設けることが好ましい。
また、図２の形態の袋体６０のように、多数の袋体６０をファイリングする際の便宜性を考慮して、底縁に表裏フィルム１１と一体に延在部９０が形成されていてもよい。延在部９０には、綴じ込み用の貫通孔９２が複数設けられている。なお、この延在部９０は、側縁に設けられていてもよい。さらに、この延在部９０には綴じ込み用の貫通孔９２に替えて、吊り下げ用の孔や把持用の孔を１つ又は複数設けてもよい。
【００２５】
前記各実施例においては、表裏２枚のフィルムが重ね合わされ、開口部を残して両側縁及び底縁で熱接着された形態の袋体について説明を加えたが、これに限定されるべきものではない。例えば、接着された開口部や折り返された開口部により、使用に至るまで非開封状態を保ってもよい。この場合、使用時に開封に便利なように、開口片にミシン目や薄肉線等による引裂手段を設けることが望ましい。
また、袋体は、２枚のフィルムではなく１枚のフィルムを折り返して折り畳むことによって形成される形態の袋体であっても、チューブ状フィルムを折り畳むことによって形成される形態の袋体であっても、チューブ状フィルムを長手方向にカットしながら折り畳み形成される形態の袋体であってもよい。これらの形態の袋体では、必要時に必要箇所が接着されて袋体が構成される。
さらに、表裏フィルムの重ね合わせ時に、開口部となる部分に段差を持たせるようにすれば、開口片の表裏フィルムを容易に捕らえられるようになり、咬合具の離反動作を円滑なものとすることができる。
【００２６】
【発明の効果】
以上詳述したように、本発明の袋体は、複数の開口部に跨がって咬合具が一体に連続しているので、開封していない収納部の係合状態の咬合具を起点として、その係合状態を倣わせることで一動作により袋体を閉鎖することができる。
【図面の簡単な説明】
【図１】本発明による咬合具付き袋体の一実施形態の平面図。
【図２】本発明による咬合具付き袋体の他の実施形態の平面図。
【図３】図１の３（ａ）線、３（ｂ）線、３（ｃ）線に沿った断面図。
【図４】図１の袋体の使用状態を示す斜視図。
【符号の説明】
１０  袋体      １１  表裏フィルム
１２  側縁      １３  底縁
１４  咬合具    １５  押し潰し端部
１６  開口片    １７  端部側接着部
２０  開口部    ３０  収納部
４０  開口部側接着部
５０  収納部側接着部
９０  延在部    ９２  貫通孔
【図１】
2005014924.tif 000003
【図２】
2005014924.tif 000004
【図３】
2005014924.tif 000005
【図４】
2005014924.tif 000006